【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】  撮像手段と、
機能に関する項目を選択または設定するためのメニュー画面を表示するための表示手段と、
前記撮像手段により撮像された画像を取り込む撮影動作を指示する撮影指示手段と、
前記表示手段への前記メニュー画面の表示を行わせるためのメニュー表示指示手段と、
前記メニュー表示手段の指示に応じて前記メニュー画面を前記表示手段に表示するとともに、前記機能の項目を選択または設定するための処理を行うメニュー表示設定処理手段と、
前記撮影動作を前記設定された機能の項目に従って実行するように制御する制御手段とを備え、
前記制御手段は、前記メニュー画面が表示されている状態で前記撮影指示が出力されると、該撮影指示の出力直前に前記メニュー画面に従って設定された機能の項目を無視して前記撮影動作を開始するように制御することを特徴とする撮像装置。
【請求項２】  前記制御手段は、前記メニュー画面が表示されている状態で前記撮影指示が出力されると、該撮影指示の出力直前に前記メニュー画面に従って設定された機能の項目が撮影パラメータかどうかを判断し、該設定された機能の項目が撮影パラメータである場合には、該設定された機能の項目を反映して前記撮影動作を開始するように制御することを特徴とする請求項１に記載の撮像装置。
【請求項３】  前記表示手段は、前記撮像手段により撮像された画像を表示することが可能に構成され、前記制御手段は、前記メニュー画面の表示が解除されているときには、前記撮像手段により撮像された画像を前記表示手段に表示するように制御することを特徴とする請求項１または２に記載の撮像装置。
【請求項４】  撮像手段と、機能に関する項目を選択または設定するためのメニュー画面を表示するための表示手段と、前記撮像手段により撮像された画像を取り込む撮影動作を指示する撮影指示手段と、前記表示手段への前記メニュー画面の表示を行わせるためのメニュー表示指示手段とを備える撮像装置に用らいれる撮像制御方法であって、
前記メニュー表示手段の指示に応じて前記メニュー画面を前記表示手段に表示するとともに、前記メニュー画面に従って前記機能の項目を選択または設定するための設定処理を行う工程と、
前記表示手段に前記メニュー画面が表示されている状態で前記撮影指示が出力されると、該撮影指示の出力直前に前記メニュー画面に従って設定された機能の項目を無視して前記撮影動作を開始するように制御する工程と
を有することを特徴とする撮像制御方法。
【請求項５】  前記メニュー画面が表示されている状態で前記撮影指示が出力されると、該撮影指示の出力直前に前記メニュー画面に従って設定された機能の項目が撮影パラメータかどうかを判断し、該設定された機能の項目が撮影パラメータである場合には、該設定された機能の項目を反映して前記撮影動作を開始するように制御することを特徴とする請求項４に記載の撮像制御方法。
【請求項６】  前記表示手段は、前記撮像手段により撮像された画像を表示することが可能に構成され、前記メニュー画面の表示を解除する指示が出力されているときには、前記撮像手段により撮像された画像を前記表示手段に表示するように制御する工程を有することを特徴とする請求項４または５に記載の撮像制御方法。
【請求項７】  撮像手段と、機能に関する項目を選択または設定するためのメニュー画面を表示するための表示手段と、前記撮像手段により撮像された画像を取り込む撮影動作を指示する撮影指示手段と、前記表示手段への前記メニュー画面の表示を行わせるためのメニュー表示指示手段とを備える撮像装置を制御するためのプログラムを格納した記憶媒体において、
前記プログラムは、前記メニュー選択指示に応じて前記メニュー画面を前記表示手段に表示し、前記メニュー画面に従って前記機能の項目を選択または設定するための設定処理を行うメニュー表示設定処理モジュールと、前記撮影動作を前記設定された機能の項目に従って実行するように制御する制御モジュールとを有し、前記制御モジュールは、前記表示手段に前記メニュー画面が表示されている状態で前記撮影指示が出力されると、該撮影指示の出力直前に前記メニュー画面に従って設定された機能の項目を無視して前記撮影動作を開始するように制御することを特徴とする記憶媒体。
【請求項８】  前記制御モジュールは、前記メニュー画面が表示されている状態で前記撮影指示が出力されると、該撮影指示の出力直前に前記メニュー画面に従って設定された機能の項目が撮影パラメータかどうかを判断し、該設定された機能の項目が撮影パラメータである場合には、該設定された機能の項目を反映して前記撮影動作を開始するように制御することを特徴とする請求項４に記載の記憶媒体。
【請求項９】  前記表示手段は、前記撮像手段により撮像された画像を表示することが可能に構成され、前記制御モジュールは、前記メニュー画面の表示を解除する指示が出力されているときには、前記撮像手段により撮像された画像を前記表示手段に表示するように制御することを特徴とする請求項７または８に記載の記憶媒体。
【手続補正２】
【補正対象書類名】明細書
【補正対象項目名】０００５
【補正方法】変更
【補正の内容】
【０００５】
【課題を解決するための手段】
本発明の撮像装置は、撮像手段と、機能に関する項目を選択または設定するためのメニュー画面を表示するための表示手段と、前記撮像手段により撮像された画像を取り込む撮影動作を指示する撮影指示手段と、前記表示手段への前記メニュー画面の表示を行わせるためのメニュー表示指示手段と、前記メニュー表示手段の指示に応じて前記メニュー画面を前記表示手段に表示するとともに、前記機能の項目を選択または設定するための処理を行うメニュー表示設定処理手段と、前記撮影動作を前記設定された機能の項目に従って実行するように制御する制御手段とを備え、前記制御手段は、前記メニュー画面が表示されている状態で前記撮影指示が出力されると、該撮影指示の出力直前に前記メニュー画面に従って設定された機能の項目を無視して前記撮影動作を開始するように制御することを特徴とする。
【手続補正３】
【補正対象書類名】明細書
【補正対象項目名】０００６
【補正方法】変更
【補正の内容】
【０００６】
また本発明の撮像制御方法は、撮像手段と、機能に関する項目を選択または設定するためのメニュー画面を表示するための表示手段と、前記撮像手段により撮像された画像を取り込む撮影動作を指示する撮影指示手段と、前記表示手段への前記メニュー画面の表示を行わせるためのメニュー表示指示手段とを備える撮像装置に用いれる撮像制御方法であって、前記メニュー表示手段の指示に応じて前記メニュー画面を前記表示手段に表示するとともに、前記メニュー画面に従って前記機能の項目を選択または設定するための設定処理を行う工程と、前記表示手段に前記メニュー画面が表示されている状態で前記撮影指示が出力されると、該撮影指示の出力直前に前記メニュー画面に従って設定された機能の項目を無視して前記撮影動作を開始するように制御する工程とを有することを特徴とする。
【手続補正４】
【補正対象書類名】明細書
【補正対象項目名】０００７
【補正方法】変更
【補正の内容】
【０００７】
また本発明の記憶媒体は、撮像手段と、機能に関する項目を選択または設定するためのメニュー画面を表示するための表示手段と、前記撮像手段により撮像された画像を取り込む撮影動作を指示する撮影指示手段と、前記表示手段への前記メニュー画面の表示を行わせるためのメニュー表示指示手段とを備える撮像装置を制御するためのプログラムを格納した記憶媒体において、前記プログラムは、前記メニュー選択指示に応じて前記メニュー画面を前記表示手段に表示し、前記メニュー画面に従って前記機能の項目を選択または設定するための設定処理を行うメニュー表示設定処理モジュールと、前記撮影動作を前記設定された機能の項目に従って実行するように制御する制御モジュールとを有し、前記制御モジュールは、前記表示手段に前記メニュー画面が表示されている状態で前記撮影指示が出力されると、該撮影指示の出力直前に前記メニュー画面に従って設定された機能の項目を無視して前記撮影動作を開始するように制御することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００６４
【補正方法】変更
【補正の内容】
【００６４】
【発明の効果】
以上説明したように、本発明の撮像装置によれば、メニュー画面が表示されている状態で撮影指示が出力されると、撮影指示の出力直前にメニュー画面に従って設定された機能の項目を無視して撮影動作を開始するので、メニュー画面での設定動作よりも撮影動作を優先させることができる。その結果、メニュー画面表示期間中にシャッターチャンスを逃すことを回避することができる。
【手続補正２１】
【補正対象書類名】明細書
【補正対象項目名】００６５
【補正方法】変更
【補正の内容】
【００６５】
また、本発明の撮像装置によれば、メニュー画面が表示されている状態で撮影指示が出力されると、撮影指示の出力直前にメニュー画面に従って設定された機能の項目が撮影パラメータかどうかを判断し、設定された機能の項目が撮影パラメータである場合には、設定された機能の項目を反映して撮影動作を開始するように制御するので、撮影指示の出力直前にメニュー画面に従って設定された機能の項目が撮影パラメータである場合には、撮影パラメータの設定変更を反映させずに撮影動作を行い、撮影指示の出力直前にメニュー画面に従って設定された機能の項目が撮影パラメータ以外の場合には、設定された機能の項目を無視して撮影動作を行うことができる。
【手続補正２２】
【補正対象書類名】明細書
【補正対象項目名】００６６
【補正方法】変更
【補正の内容】
【００６６】
本発明の撮像制御方法および記憶媒体によれば、メニュー画面が表示されている状態で撮影指示が出力されると、撮影指示の出力直前にメニュー画面に従って設定された機能の項目を無視して撮影動作を開始するので、メニュー画面での設定動作よりも撮影動作を優先させることができる。その結果、メニュー画面表示期間中にシャッターチャンスを逃すことを回避することができる。
【手続補正２３】
【補正対象書類名】明細書
【補正対象項目名】００６７
【補正方法】変更
【補正の内容】
【００６７】
また、本発明の撮像制御方法および記憶媒体によれば、メニュー画面が表示されている状態で撮影指示が出力されると、撮影指示の出力直前にメニュー画面に従って設定された機能の項目が撮影パラメータかどうかを判断し、設定された機能の項目が撮影パラメータである場合には、設定された機能の項目を反映して撮影動作を開始するように制御するので、撮影指示の出力直前にメニュー画面に従って設定された機能の項目が撮影パラメータである場合には、撮影パラメータの設定変更を反映させずに撮影動作を行い、撮影指示の出力直前にメニュー画面に従って設定された機能の項目が撮影パラメータ以外の場合には、設定された機能の項目を無視して撮影動作を行うことができる。
【手続補正２４】
【補正対象書類名】明細書
【補正対象項目名】００６８
【補正方法】削除
【補正の内容】
【手続補正２５】
【補正対象書類名】明細書
【補正対象項目名】００６９
【補正方法】削除
【補正の内容】